(57)【特許請求の範囲】
【請求項１】
圧着ツール（１０６）を保持するように構成されたラムボディ（１６３）と、
前記ラムボディと連結され、ワイヤ接続機側ラム（１１２）と連結するように構成されたラムアダプタ（１６０）とを具備する、圧着ツール駆動ラム（１５０）であって、
前記ラムアダプタは、
前記ワイヤ接続機側ラムのラムポスト（１１４）を受容するように構成されたハブチャンバ（２００）を備えるアダプタハブ（１７０）と、
前記ハブチャンバ内で移動可能に受容され、ラッチ位置とラッチ解除位置の間を移動可能であり、前記ラッチ位置において前記ラムポストに係合するように構成され、前記ラムポストが前記ラッチ解除位置において前記ハブチャンバから解放されることを可能にするラッチ機構（１７４）と、
前記アダプタハブから延伸し、前記ラムボディに連結されるように構成されるアダプタスタッド（１７２）と
を含み、
前記ラッチ機構が、前記ラッチ機構を前記ラッチ位置へ移動させるようにばね付勢された状態で、前記ハブチャンバ内にばね付勢され、
前記ラッチ機構は、貫通する開口（２３４）を含み、
前記開口は、前記ラムポストを受容するように構成され、
前記ラッチ機構が前記ラッチ解除位置から前記ラッチ位置まで移動し、
前記ラッチ位置において、前記開口が前記ラムポストに対して不整合とされることで、前記ラッチ機構は前記ラムポストが前記ハブチャンバから外れてしまうことを阻止し、
前記アダプタスタッドは、前記ラムボディにねじ連結され、
前記ラムアダプタは、前記アダプタハブに連結されると共に、前記アダプタハブの外周を取り囲む校正デバイス（１７８）をさらに含み、
前記校正デバイスがダイヤルを用いて一段階ずつ増加することで、前記ラムボディに対する前記アダプタスタッドのねじ位置を制御する圧着ツール駆動ラム。
【請求項２】
前記ラッチ機構は、前記ラムポストに対してほぼ垂直なスライド方向に移動可能である請求項１記載の圧着ツール駆動ラム。
【請求項３】
前記ハブチャンバは、上部チャンバ（２４６）および下部チャンバ（２４８）を有し、
前記ラッチ機構が前記ハブチャンバを前記上部チャンバと前記下部チャンバに分離し、
前記下部チャンバは、前記ラムポストの端部（１１６）を受容するように構成され、
前記ラッチ機構は、前記下部チャンバ内において前記ラムポストの前記端部をロックする請求項１記載の圧着ツール駆動ラム。
【請求項４】
前記アダプタハブに連結されるラッチリテーナ（１７６）をさらに含み、
前記ラッチ機構が前記ラッチリテーナと前記アダプタハブの支持面（２２４）の間にスライド可能である請求項１記載の圧着ツール駆動ラム。
【請求項５】
前記ラッチ機構は、前記アダプタハブの外側からアクセス可能なレバー（２２２）を含み、
前記レバーは、前記ラッチ位置から前記ラッチ解除位置まで前記ラッチ機構を移動するように駆動される請求項１記載の圧着ツール駆動ラム。
【請求項６】
前記アダプタハブは、前記ハブチャンバに対して開いているポケット部（２２６）を含み、
前記ポケット部は、内部にばね（２２８）を受容し、
前記ラッチ機構は、偏倚面（２３０）を備え、
前記ばねは、前記偏倚面に係合する請求項１記載の圧着ツール駆動ラム。
【請求項７】
高さ調整ワッシャの一群をさらに含み、
各高さ調整ワッシャは、異なる高さ（１８８）を含み、
前記高さ調整ワッシャの１つは、前記アダプタハブと前記アダプタスタッドの間に配置され、前記アダプタスタッドに対する前記アダプタハブの相対位置を制御する請求項１記載の圧着ツール駆動ラム。
【請求項８】
前記アダプタハブと前記アダプタスタッドの間に配置された高さ調整ワッシャ（１８６）をさらに含み、
前記アダプタスタッドに対する前記アダプタハブの相対位置を制御する請求項１記載の圧着ツール駆動ラム。
【発明の詳細な説明】
【技術分野】
【０００１】
本発明は、一般的にワイヤ接続機に関する。
【背景技術】
【０００２】
圧着工程などによって端子をワイヤに接続するための接続機が知られている。端子接続機は、端子ストロークに沿ってターミネータラム（terminator ram)（ワイヤ接続機側ラム）を駆動するモータを含む。ターミネータラムは、アプリケータラム（圧着ツール駆動ラム）に接続され、圧着ストロークに沿ってアプリケータラムを駆動する。アプリケータラムは、圧着ツールを保持し、端子をワイヤに接続するための圧着ストロークに沿って圧着ツールを駆動する。
【発明の概要】
【発明が解決しようとする課題】
【０００３】
公知の接続機に問題がないわけではない。例えば、アプリケータラムとターミネータラム間の接続が困難で、達成するために時間を消費してしまう場合がある。典型的には、接続は、アプリケータラムの端部が頂部にフックすなわち溝を備える固定フックスタイル接続と称されるものである。ターミネータラムの端部は、側面から溝内に挿入され、所定位置にスライドされる。この溝は、アプリケータラムとターミネータラムとの間の固定連結を維持するために厳しい公差があり、それゆえに、この溝内にターミネータラムの端部を搬送することが難しい場合がある。さらにターミネータラムとアプリケータラムとの間のスペースが制限されている場合も有り、圧着高さ調整目盛りの配置が制限される場合がある。目盛りは小型の傾向にあり、目盛りを見ることが難しく、細かい調整が難しくなっている。
【課題を解決するための手段】
【０００４】
課題を解決するための手段は、圧着ツールを保持するように構成されたラムボディと、前記ラムボディに連結されたラムアダプタとを備えるアプリケータラムによって提供される。前記ラムアダプタは、ターミネータラムと連結するように構成される。前記ラムアダプタは、前記ターミネータラムのラムポストを受容するように構成されたハブチャンバ（hub chamber）を備えるアダプタハブ（adaptor hub）を含む。ラッチ機構は、前記ハブチャンバ内で移動可能に受容される。前記ラッチ機構は、ラッチ位置とラッチ解除位置の間を移動可能である。前記ラッチ機構は、前記ラッチ位置において前記ラムポストに係合するように構成される。前記ラッチ機構は、前記ラムポストが前記ラッチ解除位置において前記ハブチャンバから解放されることを可能にする。アダプタスタッド（adaptor stud）は、前記アダプタハブから延伸し、前記アプリケータラムに連結されるように構成される。
本発明は、以下添付の図面を参照して例示的に説明される。
【図面の簡単な説明】
【０００５】
【図１】図１は、一例示的な実施形態に従って形成されたアプリケータを前から見た斜視図である。
【図２】図２は、図１に示されるアプリケータの一部であり、アプリケータラムとアプリケータラムに連結されるように構成されるラムアダプタを示す分解図である。
【図３】図３は、ラムアダプタがラッチ位置にあることを示す、アプリケータラムとラムアダプタの断面図である。
【図４】図４は、ラムアダプタがラッチ解除位置にあることを示す、アプリケータラムとラムアダプタの断面図である。
【発明を実施するための形態】
【０００６】
図１は、一例示的な実施形態に従って形成されたアプリケータ１００を前から見た斜視図である。アプリケータ１００は、ワイヤ端部に端子を圧着するために用いられる。アプリケータ１００は、アプリケータ１００を支持する基部１０４上の所定位置に固定されるアンビル１０２を含む。アプリケータ１００は、ワイヤに端子を圧着するためにアンビル１０２へ向かって、かつ、アンビル１０２から離れる圧着ストロークに沿って駆動される圧着ツール１０６を含む。圧着ゾーン１０８は、アンビル１０２と圧着ツール１０６の間に規定される。端子は、圧着ゾーン１０８内でワイヤに圧着される。例示的な実施形態において、アプリケータ１００は、圧着工程の間、端子を圧着ゾーン１０８へ搬送する搬送機１１０を含む。
【０００７】
例示的な実施形態において、アプリケータ１００は、ターミネータ（接続）機（図示せず）のターミネータラム１１２に連結されるように構成される。ターミネータラム１１２は、ターミネータによる接続ストロークで駆動される。接続ストロークの間、ターミネータラム１１２は、矢印Ａで示される、垂直方向の直線経路に沿って駆動される。ターミネータラム１１２は、図１においては、連結解除位置において図示されている。ターミネータラム１１２は、アプリケータ１００に連結されるように構成されるラムポスト１１４を含む。ラムポスト１１４は、アプリケータ１００内に受容される端部１１６を備える。ラムポスト１１４は、ラムポスト１１４の端部１１６に形成された環状の溝によって規定されるポストキャビティ１１８を含む。フランジ１２０は、ポストキャビティ１１８の下に設けられる。フランジ１２０は、ポストキャビティ１１８の下面を規定する上方を向く肩部１２２を備える。さらに詳述すると、アプリケータ１００の一部は、アプリケータ１００をターミネータラム１１２に固定するためにポストキャビティ１１８内に受容される。
【０００８】
アプリケータ１００は、内部にラムチャンバ１３２を備えるアプリケータボディ１３０を含む。アプリケータボディ１３０は、上面１３４と下面１３６を備える。ラムチャンバ１３２は、上面１３４と下面１３６の間に延伸する。アプリケータボディ１３０は、第一側面１３８と第二側面１４０を含む。搬送機１１０は、第二側面１４０に設けられており、ほぼ第二側面１４０から第一側面１３８までの搬送方向に端子を搬送する。アプリケータボディ１３０は、前部１４２および後部１４４を備える。図示された実施形態において、前部１４２は、ラムチャンバ１３２に対して開いている。
【０００９】
アプリケータラム１５０は、ラムチャンバ１３２内に受容される。アプリケータラム１５０は、以下詳述されるように、ターミネータラム１１２に連結されるように構成される。アプリケータラム１５０は、ターミネータラム１１２による圧着ストロークに沿ってラムチャンバ１３２内で移動可能である。アプリケータラム１５０は、矢印Ａ方向の垂直経路に沿って直線方向に移動可能である。アプリケータラム１５０は、圧着ストロークの間、ラムチャンバ１３２内を昇降する。圧着ツール１０６は、アプリケータラム１５０の側面１５２に連結される。
【００１０】
作業の間、アプリケータラム１５０が圧着ストロークで移動すると、アプリケータラム１５０は、圧着ゾーン１０８内の圧着ストロークに沿って圧着ツール１０６を昇降させる。圧着ツール１０６がアンビル１０２へ向かって下方に押されると、端子がワイヤに接続される。圧着ツール１０６がアンビル１０２から離れるように上昇すると、端子は、圧着ツール１０６および／またはアンビル１０２から解放され、別の端子およびワイヤに置換される。
【００１１】
例示的な実施形態において、アプリケータラム１５０は、アプリケータボディ１３０に対するアプリケータラム１５０の垂直位置を調整するための圧着高さ調整機構１５３を含む。圧着高さ調整機構１５３は、固定されたアンビル１０２に対する圧着ツール１０６の垂直位置も制御する。例えば、アプリケータボディ１３０に対してアプリケータラム１５０を上昇させることにより、アンビル１０２に対して圧着ツール１０６を上昇させる。反対に、アプリケータボディ１３０に対してアプリケータラム１５０を下降させることにより、アンビル１０２に対して圧着ツール１０６を下降させ、端子の圧着高さに影響を与える。図示された実施形態において、圧着高さ調整機構１５３は、アプリケータラム１５０の位置を変化させるために、回転可能なダイヤルで構成される。
【００１２】
アプリケータラム１５０は、アプリケータラム１５０の上面１６２に連結されたラムアダプタ１６０を含む。ラムアダプタ１６０は、ラムポスト１１４の端部１１６に取り外し可能に連結されるように構成される。例示的な実施形態において、ラムアダプタ１６０は、アプリケータラム１５０とターミネータラム１１２の間の迅速接続／迅速接続解除の接続器を規定する。ラムアダプタ１６０は、ばね付勢され、ラムポスト１１４に迅速にラッチ固定され（そして迅速にラッチ解除され）る。例示的な実施形態において、ラムアダプタ１６０は、ラムポスト１１４をラムアダプタ１６０内に押圧する（すなわち詰め込む（jamming)）ことによって、または、ラムアダプタ１６０をラムポスト１１４上に押圧する（すなわち詰め込む（jamming)）ことによって、ターミネータラム１１２がアプリケータラム１５０内に直接嵌められることを可能にする詰め込みスタイルの接続器（jam style connector）を規定する。ラムアダプタ１６０は、以下詳述されるように、ターミネータラム１１２にラッチ固定されるように構成され、ターミネータラム１１２から迅速かつ容易に解放可能である。
【００１３】
図２は、アプリケータラム１５０とラムアダプタ１６０を示す分解図である。アプリケータラム１５０は、内部に溝１６４が形成されたほぼブロック形状ラムボディ１６３を備える。溝１６４は、ラムチャンバ１３２（図１参照）内へアプリケータラム１５０を方向付けさせる。溝１６４は、ラムチャンバ１３２内のレール（図示せず）に沿ってスライド可能であり、アプリケータボディ１３０（図１参照）に対してアプリケータラム１５０を適切に方向付けし続ける。
【００１４】
アプリケータラム１５０は、上面１６２からアプリケータラム１５０内に延伸するアダプタ開口１６６を備える。アダプタ開口１６６は、アプリケータラム１５０を完全に貫通してもよい。ラムアダプタ１６０は、アダプタ開口１６６内に受容されるように構成される。例示的な実施形態において、アダプタ開口１６６には、ねじ溝が切られており、ラムアダプタ１６０がアダプタ開口１６６内でアプリケータラム１５０とねじ連結される。別の実施形態においては、ラムアダプタ１６０は、別の固定機構や固定工程を用いてアプリケータラム１５０に固定される。
【００１５】
図示された実施形態において、アプリケータラム１５０は、ラムボディ１６３の側面の１つから延伸する２つのタブ１６８を含む。タブ１６８は、その間に圧着ツール１０６（図１参照）を受容する受容スペースを規定する。ラムボディ１６３は、受容スペース内に圧着ツール１０６を保持する。
【００１６】
ラムアダプタ１６０は、アダプタハブ１７０と、アダプタハブ１７０に連結されるように構成されたアダプタスタッド１７２とを含む。別の実施形態では、アダプタスタッド１７２は、アダプタハブ１７０と一体形成されてもよい。ラッチ機構１７４は、ラッチリテーナ１７６を用いてアダプタハブ１７０に連結される。校正デバイス１７８は、以下詳述されるように、アプリケータラム１５０に対するアダプタハブ１７０の相対位置を制御するために、アダプタハブ１７０に連結される。別の実施形態では、校正デバイス１７８は、アダプタハブ１７０と一体形成されてもよい。
【００１７】
アダプタスタッド１７２は、ヘッド１８０と、ヘッド１８０から延伸するシャフト１８２とを含む。図示された実施形態において、シャフト１８２には、ねじ溝が切られているので、アダプタスタッド１７２がアダプタボア１６６内のアプリケータラム１５０にねじ接続される。アダプタスタッド１７２は、ヘッド１８０および／またはシャフト１８２内へ延伸する内部開口１８４を含む。内部開口１８４は、アダプタハブ１７０の一部を受容して、アダプタハブ１７０をアダプタスタッド１７２に連結するように構成される。内部開口１８４は、ねじ溝が切られていてもよい。あるいは、内部開口１８４は、クラッシュリブ（crush ribs）や他の機構を含み、アダプタハブ１７０と圧入されることで、アダプタハブ１７０をアダプタスタッド１７２に固定してもよい。
【００１８】
例示的な実施形態において、高さ調整ワッシャ１８６がアダプタハブ１７０とアダプタスタッド１７２の間に備えられてもよい。高さ調整ワッシャ１８６は、厚み（すなわち高さ）１８８を有する。高さ調整ワッシャ１８６は、アダプタハブ１７０とアダプタスタッド１７２の間の相対位置を制御する。例示的な実施形態において、各群の部材が異なる高さ１８８を有する、高さ調整ワッシャ１８６の一群が提供されてもよい。一群の部材の１つは、アダプタハブ１７０とアダプタスタッド１７２の間に選択的に配置されてもよい。高さ調整ワッシャ１８６の高さ１８８に依存して、アダプタスタッド１７２に対するアダプタハブ１７０の位置が調整されてもよい。そのような調整は、ターミネータラム１１２（図１参照）に対するアプリケータラム１５０の位置を制御する。積層ワッシャなどの別のワッシャ１９０が高さ調整ワッシャ１８６とアダプタスタッド１７２のヘッド１８０の間に設けられる。高さ調整ワッシャ１８６がアプリケータラム１５０に対するアダプタハブ１７０の全体位置を制御するが、圧着高さ調整機構１５３（すなわち校正デバイス１７８）はアプリケータラム１５０に対するアダプタハブ１７０の微調整を制御する。校正デバイス１７８が微細な高さ調整機構を規定するが、高さ調整ワッシャ１８６はコース高さ調整機構（course height adjustment features）を規定する。
【００１９】
例示的な一実施形態において、シャフト１８２は、ねじ溝を含まない間隙１９６によって分離される、複数の上部ねじ溝１９２および複数の下部ねじ溝１９４を含む。以下さらに詳述されるように、間隙１９６は、アダプタスタッド１７２の垂直位置がアダプタ開口１６６内で制御され調整されることを可能にする特徴的構造を備える。間隙１９６の高さは、アダプタスタッド１７２の調整量を制御するように選択されてもよい。
【００２０】
アダプタハブ１７０は、ラッチ機構１７４およびターミネータラム１１２のラムポスト１１４を受容するハブチャンバ２００を含む。図示された実施形態において、ハブチャンバ２００は内部に積極的な段形状があるので、ハブチャンバ２００が複数の平面と複数の垂直面を含むことになる。アダプタハブ１７０は、アダプタハブ１７０の下面から延伸するポスト２０２を含む。アダプタハブ１７０がアダプタスタッド１７２に連結されると、ポスト２０２が内部開口１８４内に受容されることで、アダプタハブ１７０とアダプタスタッド１７２が固定される。ポスト２０２は、さらに高さ調整ワッシャ１８６とワッシャ１９０を通って開口内に受容される。ポスト２０２は、アダプタハブ１７０がアダプタスタッド１７２とねじ連結されるようねじ溝が切られてもよい。別の実施形態では、ポスト２０２がアダプタスタッド１７２に別の手段を用いて固定されてもよい。例えば、ポスト２０２は、圧入によって内部開口１８４内に固定されてもよい。接着剤や他の締結具が内部開口１８４内にポスト２０２を固定するために用いられてもよい。さらに別の実施形態では、ラッチまたは他の機構がアダプタハブ１７０および／またはアダプタスタッド１７２に連結されることで、アダプタハブ１７０とアダプタスタッド１７２が固定されてもよい。
【００２１】
校正デバイス１７８は、位置決めねじ２０４を用いてアダプタハブ１７０に固定される。校正デバイス１７８は、開口２０６を備えたほぼ環状形状である。校正デバイス１７８およびアダプタハブ１７０は、共に圧着高さ調整機構１５３を規定する。アダプタハブ１７０の一部は、開口２０６を貫通する。例示的な一実施形態において、校正デバイス１７８は、同時にアダプタハブ１７０を回転させるように回転可能なダイヤルを構成する。アプリケータラム１５０に対するラムアダプタ１６０の高さ位置（すなわち垂直位置）は、校正デバイス１７８を回転させることで性格に制御可能である。
【００２２】
例示的な実施形態において、組立の際、校正デバイス１７８の回転により、アダプタハブ１７０が回転し、さらにアダプタスタッド１７２が回転することで、アプリケータラム１５０に対するラムアダプタ１６０の相対位置が調整される。校正デバイス１７８は、校正デバイス１７８の外周２１２に沿って印すなわち表示２１０を含む。表示２１０は、アプリケータラム１５０に対する校正デバイス１７８の位置を視覚的に表示する。校正デバイス１７８は、大きな直径を有し、その直径はアプリケータラム１５０の上面１６２の大きさとほぼ等しくてもよい。そのように大きな直径を有することによって、表示２１０が外周２１２周辺に拡がるので、表示２１０が見やすくなり、より圧着高さの微調整が容易となる。
【００２３】
アプリケータラム１５０に対する校正デバイス１７８の回転位置が変化し、ラムボディ１６３に対するアダプタハブ１７０の相対位置が制御される。校正デバイス１７８が徐々にダイヤルを用いて一段階ずつ増加すると、校正デバイス１７８およびアダプタハブ１７０の回転がアダプタスタッド１７２の回転を引き起こすので、ラムボディ１６３に対するアダプタスタッド１７２のねじ位置が制御される。例示的な実施形態において、校正デバイス１７８の回転は、校正デバイス１７８の下面２０８に対してばね付勢されるピン２１４を用いて徐々に増加するように制御される。ピン２１４は、校正デバイス１７８の下面２０８における歯内に受容される先端２１６を含む。ピン２１４は先端２１６に対して校正デバイス１７８がダイヤルを用いて一段階ずつ増加した位置（すなわち所定位置）で停止することを確実にすることで、校正デバイス１７８のダイヤルを用いて一段階ずつ増加した位置が確実にされる。例示的な実施形態において、ピン２１４が校正デバイス１７８の段階的移動（ダイヤルを用いて一段階ずつ増加して移動）を制御するので、校正デバイス１７８は０．１ｍｍの増加毎に回転可能である。可聴式および／または接触式のクリックが、校正デバイス１７８とピン２１４の係合によって引き起こされ、校正デバイス１７８が回転する際に、聞こえおよび／または感じられてもよい。
【００２４】
ラッチ機構１７４は、ハブチャンバ２００内にスライド可能に受容される。ラッチ機構１７４は、基部２２０および基部２２０から延伸するレバー２２２を含む。ラッチ機構１７４は、ハブチャンバ２００内に受容されるので、基部２２０がハブチャンバ２００の水平面の１つによって規定された支持面２２４上に載置されることになる。基部２２０は、支持面２２４に沿って水平面方向にスライド可能である。ハブチャンバ２００の垂直面は、ハブチャンバ２００内におけるラッチ機構１７４の移動を停止させる停止部を規定する。
【００２５】
例示的な実施形態において、アダプタハブ１７０は、複数のばね２２８を受容する複数のポケット部２２６（図２参照）を含む。ポケット部２２６がハブチャンバ２００に対して開いている。基部２２０は、ばね２２８を向く偏倚面２３０を含む。ばね２２８は、偏倚面２３０と係合し、偏倚面２３０を押圧して、ラッチ位置（図３参照）にラッチ機構１７４を保持する。そのようにして、ラッチ機構１７４は、ばね付勢され常にラッチ位置に保持される。ラッチ機構１７４は、ばね２２８のばね付勢に抗してレバー２２２を押すことで、ラッチ解除位置（図４参照）に移動可能である。
【００２６】
ラッチリテーナ１７６は、ハブチャンバ２００内にラッチ機構１７４を保持する。図示された実施形態において、ラッチリテーナ１７６は、締結具２３２を用いてアダプタハブ１７０に固定される。ラッチ機構１７４は、ラッチリテーナ１７６とハブチャンバ２００の支持面２２４の間においてハブチャンバ２００内をスライド可能である。
【００２７】
基部２２０は、貫通する開口２３４を含む。開口２３４は、ラムポスト１１４（図１参照）を受容する。基部２２０は、ラムポスト１１４がハブチャンバ２００内に挿入された後、ラムポスト１１４と係合する。ラッチ機構１７４がラッチ位置にあるとき、基部２２０はハブチャンバ２００内にラムポスト１１４を保持する。
【００２８】
図３は、アプリケータラム１５０およびラムアダプタ１６０の断面図である。組立の際には、ラムアダプタ１６０は、組み立てられた後アプリケータラム１５０のアダプタ開口１６６内に挿入される。ラムアダプタ１６０の組立の際には、ポスト２０２を内部開口１８４へ挿入することによって、アダプタハブ１７０がアダプタスタッド１７２に連結される。高さ調整ワッシャ１８６は、ヘッド１８０とアダプタハブ１７０の下面２４０の間に保持される。高さ調整ワッシャ１８６の厚さ（すなわち高さ）１８８は、下面２４０とヘッド１８０の間の距離（すなわち間隔）を制御する。図３に示される高さ調整ワッシャ１８６は、比較的短い高さ１８８を有する。一群内の他の高さ調整ワッシャは、図３に示される高さ調整ワッシャ１８６よりもより高く（例えば２倍または３倍高く）てもよい。より厚みのある高さ調整ワッシャは、下面２４０とヘッド１８０の間の間隔を増加させる。そのような間隔の増大が、高さ調整ワッシャの付加的な厚み（すなわち高さ）に等しい距離によって、アダプタハブ１７０に対して垂直下方向にアプリケータラム１５０を位置づける。圧着ツール１０６（図１参照）は、同様に、さらに下方向に（すなわちアンビル１０２（図１参照）に近づくように）配置し圧着高さを減少させてもよい。
【００２９】
ラムアダプタ１６０が一旦組み立てられると、ラムアダプタ１６０は、アダプタ開口１６６内へ挿入される。シャフト１８２は、アダプタ開口１６６のねじ溝とねじ連結される。位置決めねじ２４２は、アプリケータラム１５０に連結される。位置決めねじ２４２の端部２４４は、アダプタ開口１６６内へ延伸し、アダプタスタッド１７２のシャフト１８２と係合する。端部２４４は、上部ねじ溝１９２と下部ねじ溝１９４の間の間隙１９６内に受容される。間隙１９６は位置決めねじ２４２よりも厚みがあるので、アダプタスタッド１７２がアダプタ開口１６６内を長手方向に（例えばアダプタ開口１６６内を垂直に）移動可能となる。間隙１９６の高さは、アダプタ開口１６６内におけるアダプタスタッド１７２の動作幅を規定する。
【００３０】
ラムアダプタ１６０の回転により、ラムアダプタ１６０とアプリケータラム１５０の間の相対的な移動が起こる。アダプタスタッド１７２は、位置決めねじ２４２が上部ねじ溝１９２の上限または下部ねじ溝１９４の下限となるまで、アダプタ開口１６６内を移動可能である。図示された実施形態において、位置決めねじ２４２が上部ねじ溝１９２の上限から下部ねじ溝１９４の下限まで約３６０°の動作幅がある。例示的な実施形態において、３６０°の動作により、ラムアダプタ１６０は、アプリケータラム１５０に対して約１．５ｍｍの移動となる。より幅広い間隙１９６を有するなど別の実施形態においては、ラムアダプタ１６０がさらに移動してもよい。
【００３１】
組立の際、ターミネータラム１１２がラムアダプタ１６０内に嵌合することで、アプリケータラム１５０とターミネータラム１１２を連結する。ラムポスト１１４の端部１１６は、ハブチャンバ２００内に受容される。ハブチャンバ２００は、上部チャンバ２４６および下部チャンバ２４８を含む。ラッチ機構１７４は、ハブチャンバ２００を上部チャンバ２４６と下部チャンバ２４８に分離する。フランジ１２０は、下部チャンバ２４８内に受容され、ラッチ機構１７４の下に捕捉される。ラッチ機構１７４は、ラムポスト１１４をラッチ固定し、ラムポスト１１４をラムアダプタ１６０内に固定する。ラッチ位置において、基部２２０における開口２３４がラムポスト１１４のフランジ１２０に対して、不整合(misaligned)にされる（すなわちオフセットされる）。ラッチ機構１７４の基部２２０は、ポストキャビティ１１８内に受容される。ラッチ機構１７４は、基部２２０の下のフランジ１２０を捕捉することによって、ラムアダプタ１６０内においてラムポスト１１４を固定する。フランジ１２０の肩部１２２は、基部２２０の下に捕捉される。基部２２０は、フランジ１２０の一部の垂直方向上方に配置される捕捉面２５０を備える。ラムポスト１１４がラムアダプタ１６０から外れてしまうことが、ラッチ機構１７４によって抑制される。
【００３２】
組立の際に、ラムポスト１１４は、レバー２２２を作動させることなく、ハブチャンバ２００内に詰め込み可能である。ラムポスト１１４が基部２２０と係合すると、ラッチ機構１７４が自動的にラッチ解除位置へスライドする。この位置において、開口２３４はラムポスト１１４と整合される。開口２３４の周囲の基部２２０の壁は、傾斜づけられており、ラムポスト１１４が開口２３４へ詰め込まれると、楔状体（Wedge）として作動することでラッチ機構１７４を横方向に移動するように付勢する。フランジ１２０が基部２２０を一旦超えると、ラッチ機構１７４は、ばね２２８（図２参照）によってラッチ位置へ自動的に戻る。
【００３３】
ラッチ機構１７４は、ラッチ位置（図３参照）とラッチ解除位置（図４参照）の間を移動可能である。ラッチ機構１７４は、ばね付勢され、通常はラッチ位置にある。レバー２２２を押し、弾性力に打ち勝つことで、ラッチ機構１７４をラッチ解除位置へ移動させる。ラッチ機構１７４は、ラムポスト１１４に対して矢印Ｂで示される垂直なスライド方向へラッチ解除位置までスライド可能である。図示された実施形態において、スライド方向はほぼ水平方向である。レバー２２２には、アダプタハブ１７０の外側からアクセス可能である。レバー２２２が作動されることで、ラッチ位置からラッチ解除位置までラッチ機構１７４が移動する。レバー２２２が解放されると、ばね２２８がラッチ機構１７４を付勢してラッチ位置に戻す。ラッチ位置においては、ラムポスト１１４がハブチャンバ２００内にロックされる。
【００３４】
作動時において、接続ストロークに沿うターミネータラム１１２の移動により、アプリケータラム１５０が圧着ストロークに沿って移動する。例えば、ターミネータラム１１２が持ち上げられると、肩部１２２は基部２２０の下面と係合し、ラムアダプタ１６０およびアプリケータラム１５０を持ち上げる。接続ストロークが下方部分にある間、ラムポスト１１４はラムアダプタ１６０およびアプリケータラム１５０を下方向に付勢する。
【００３５】
図４は、ラッチ機構１７４がラッチ解除位置にある場合のラムアダプタ１６０とアプリケータラム１５０の断面図である。ラッチ解除位置において、基部２２０内の開口２３４は、ラムポスト１１４のフランジ１２０と整合される。ラムポスト１１４が開口２３４を通過して、ラムポスト１１４からラムアダプタ１６０およびアプリケータラム１５０を連結解除する。レバー２２２を押し、ラッチ機構１７４を付勢してラッチ解除位置まで水平方向にスライドさせることで、ラッチ機構１７４が連結解除位置へ移動する。
【００３６】
本実施形態の記載は例示的なものであって、限定的なものではないことが理解されるべきである。例えば、上述の実施形態（および／またはその態様）は互いに組み合わされてもよい。さらに、本発明の範囲を逸脱しない限り、多くの変更が、本発明の様々な実施形態の技術に特定状況または特定材料を適用するためになされてもよい。本実施形態において、寸法、材料の種類、様々な部材の採用、および様々名部材の数量および場所について規定されている傾向にあるが、決してこれら実施形態だけに限定されるものではない。当業者であれば、本実施形態を参照して、本願請求項の範囲内であれば、多くの他の実施形態や変更をすることが可能である。それゆえに、本発明の範囲は、本願請求項に含まれる全ての実施形態を含むものである。添付の特許請求の範囲では、「含む（ｉｎｃｌｕｄｉｎｇ）」および「そこにおいて（ｉｎ  ｗｈｉｃｈ）」という用語は、それぞれ「含む（ｃｏｍｐｒｉｓｉｎｇ）」および「そこにおいて（ｗｈｅｒｅｉｎ）」という用語の平易な英語として使用されるが、意味は等しい。さらに、以下の特許請求の範囲では、「第１」、「第２」、および「第３」などの用語は単なる標識として使用されるにすぎず、これらの用語の対象に数値的な要件を課すものではない。さらに、以下に示す特許請求の範囲の限定は、ミーンズ・プラス・ファンクション形式で記載されたものではない。当該限定が「手段（ｍｅａｎｓ  ｆｏｒ）」というフレーズを明示的に使用し、かつ、さらなる構造を欠いたまま機能（ファンクション）についての言及が当該フレーズに続かない限り、米国特許法（３５  Ｕ．Ｓ．Ｃ．）第１１２条の第６段落に基づいて解釈されるものではない。
【符号の説明】
【００３７】
１０６・・・圧着ツール
１１２・・・ターミネータラム
１１４・・・ラムポスト
１１６・・・端部
１５０・・・アプリケータラム
１６０・・・ラムアダプタ
１６３・・・ラムボディ
１７０・・・アダプタハブ
１７２・・・アダプタスタッド
１７４・・・ラッチ機構
１７６・・・ラッチリテーナ
１７８・・・校正デバイス
１８６・・・高さ調整ワッシャ
１８８・・・高さ
２００・・・ハブチャンバ
２２２・・・レバー
２２４・・・支持面
２２６・・・ポケット部
２２８・・・ばね
２３０・・・偏倚面
２３４・・・開口
２４６・・・上部チャンバ
２４８・・・下部チャンバ
【図１】
0005950922.tif 000002
【図２】
0005950922.tif 000003
【図３】
0005950922.tif 000004
【図４】
0005950922.tif 000005